(57)【特許請求の範囲】
【請求項１】
情報処理装置本体に回動可能に取り付けられたキーボード部と、
前記キーボード部の下面に設けられたフック部と、
前記キーボード部の下方に設けられ、ディスクトレイを内蔵したディスクドライブ装置と、
前記ディスクドライブ装置が載置され、軸ａおよび軸ｂを有するドライブホルダーと、
ガイド溝を有し、前記ドライブホルダーを前記ガイド溝と前記軸ａの嵌合により支持するベース金具と、
一端は前記ベース金具と回動可能に結合して取り付けられ、かつ他端は前記ドライブホルダーの前記軸ｂによって結合して回動可能に取り付けられたクランクアームと
を備え、
前記軸ｂは前記クランクアームを貫通して突起を形成し、
前記ディスクトレイ排出時には、
前記キーボード部を回動して前記フック部により前記突起を引っ掛けて前記ドライブホルダーと、当該ドライブホルダーに載置された前記ディスクドライブ装置とを共に持ち上げ、
前記軸ａが前記ガイド溝に沿ってスライドすることで前記ドライブホルダーおよび前記ディスクドライブ装置は前記キーボード部に対して相対的に前方に移動し、
その後、前記ディスクドライブ装置が内蔵する前記ディスクトレイを排出することを特徴とする携帯型情報処理装置。
【請求項２】
前記キーボード部を開くときには前記フック部がドライブホルダーに設けられた前記突起を引っ掛けて持ち上げ、
前記キーボード部は前記情報処理装置本体内部より前記ディスクドライブ装置に内蔵される前記ディスクトレイが排出される開口部を生じる位置に開き、
前記ディスクトレイが収納されたときには前記キーボード部は閉じる位置に回動し閉じた位置では前記フック部と前記突起とが非接触になることを特徴とする請求項１記載の携帯型情報処理装置。
【発明の詳細な説明】
【０００１】
【発明の属する技術分野】
本発明はノートパソコンのような携帯型情報処理装置に関し、詳しくは、記憶装置としてディスクドライブ装置が搭載された携帯型情報処理装置に関するものである。
【０００２】
【従来の技術】
近年、ノートパソコンのような携帯型情報処理装置においても、ＣＤ（コンパクトディスク）装置、ＤＶＤ（デジタルビデオディスク）装置などのディスクドライブ装置を記憶装置として搭載することが主流になってきている。また、携帯型情報処理装置は使用に当たってのスペースも限られることが多く、ディスクドライブのディスクトレイが情報処理装置本体外形より外に突出しないことが望ましい。このため、キーボード部などを開閉し、そこからディスクトレイを出し入れすることが行われている。
【０００３】
以下、従来の携帯型情報処理装置について図を用いて説明する。
図２は従来の情報処理装置を側面から見た断面図で、ディスクトレイが排出されるときの状態を示している。図において、２１は情報処理装置本体、２２は情報処理装置本体２１にヒンジ部２３で回動可能に取り付けられた表示部、２４はキーボード部で表示部２２と同様にヒンジ部に回動可能に取り付けられている。キーボード部２４の下面にはディスクドライブ装置２５が固定されている。２６はキーボード部が開いたときに生じる開口部である。
【０００４】
以上のように構成された従来の情報処理装置について、以下その動作を説明する。通常はキーボード部２４は閉じられており、上面が情報処理装置本体２１の上面と略同一面となっている。ディスクを交換などで出し入れするときは、キーボード部２４を駆動機構（図示せず）によってヒンジ部２３を支点に回動すると、ディスクドライブ装置２５も共に回動される。そして図の位置になったときに回動を止め、ディスクドライブ装置２５に内蔵されたディスクトレイ２５ａが開口部２６より排出される。そしてディスクトレイ２５ａからディスクを脱着した後、ディスクトレイ２５ａはディスクドライブ装置２５に収納され、キーボード部２４が再び回動し開口部２６が閉じられる。
【０００５】
【発明が解決しようとする課題】
しかし、このような上記従来の携帯型情報処理装置では、キーボード部が閉じた状態でも、開口部２６はわずかに隙間を残しており、ここから情報処理装置内部を見えないようにするために、ディスクドライブ装置２５をキーボード部２４の前端よりもある程度後方に配置する必要があった。つまり、図中Ｌ寸法が必要であった。このため、ディスクトレイ２５ａからディスクを脱着する際、キーボード部２４の前端にディスクが接触する恐れがあり、操作性が極めて悪いだけでなく、ディスクに傷を付ける恐れがあった。また、キーボードへの打鍵の衝撃がディスクドライブ装置に伝播し、読み取りエラー、書き込みエラーなどを生じる恐れもあった。
【０００６】
本発明は、上記従来の課題を解決するものでディスクの脱着が容易であるとともに、キーボードの衝撃をディスクドライブ装置に伝えにくくすることのできる携帯型情報処理装置を提供することを目的とする。
【０００７】
【課題を解決するための手段】
上記課題を解決するために、本発明の携帯型情報処理装置は、キーボード部の下面にフック部を設け、キーボード部が回動する際にディスクドライブ装置を載置したドライブホルダーの突起をフック部によって引っ掛けて持ち上げるようにするとともに、ドライブホルダーをクランクアームによってベース金具と回動可能に結合しベース金具にガイド溝と軸の嵌合によって支持されるようにしたものである。また、キーボード部が閉じた位置ではフック部と突起とが非接触になるようにしたものである。
【０００８】
上記構成とすることにより、キーボード部の回動中心とは異なった軸を支点に回動するクランクアームの回転運動でディスクドライブが前方へ押し出され、キーボード部前端とディスクが接触する恐れがなくなり、ディスクの着脱性が容易になるとともにディスクへの傷付きを防止することができる。また、キーボードを閉じた位置ではフック部とドライブホルダーの突起部が非接触になるため、キーボード操作時の打鍵による衝撃が直接ディスクドライブ装置に伝播されず、従ってディスクの読み取り書き込み時の動作への影響を少なくできる等の効果が得られる。
【００１０】
【発明の実施の形態】
本発明の請求項１に記載の発明は、
情報処理装置本体に回動可能に取り付けられたキーボード部と、
前記キーボード部の下面に設けられたフック部と、
前記キーボード部の下方に設けられ、ディスクトレイを内蔵したディスクドライブ装置と、
前記ディスクドライブ装置が載置され、軸ａおよび軸ｂを有するドライブホルダーと、
ガイド溝を有し、前記ドライブホルダーを前記ガイド溝と前記軸ａの嵌合により支持するベース金具と、
一端は前記ベース金具と回動可能に結合して取り付けられ、かつ他端は前記ドライブホルダーの前記軸ｂによって結合して回動可能に取り付けられたクランクアームと
を備え、
前記軸ｂは前記クランクアームを貫通して突起を形成し、
前記ディスクトレイ排出時には、
前記キーボード部を回動して前記フック部により前記突起を引っ掛けて前記ドライブホルダーと、当該ドライブホルダーに載置された前記ディスクドライブ装置とを共に持ち上げ、
前記軸ａが前記ガイド溝に沿ってスライドすることで前記ドライブホルダーおよび前記ディスクドライブ装置は前記キーボード部に対して相対的に前方に移動し、
その後、前記ディスクドライブ装置が内蔵する前記ディスクトレイを排出することを特徴とする携帯型情報処理装置としたものであり、
キーボード部に直接ディスクドライブ装置を固定せず、ドライブホルダーに設けられた溝とドライブホルダーおよびベース金具に回動自在に取り付けられたクランクアームとにより、ディスクドライブ装置の位置を移動して前方に押し出すことができるという作用を有する。
【００１１】
本発明の請求項３に記載の発明は、
前記キーボード部を開くときには前記フック部がドライブホルダーに設けられた前記突起を引っ掛けて持ち上げ、
前記キーボード部は前記情報処理装置本体内部より前記ディスクドライブ装置に内蔵される前記ディスクトレイが排出される開口部を生じる位置に開き、
前記ディスクトレイが収納されたときには前記キーボード部は閉じる位置に回動し閉じた位置では前記フック部と前記突起とが非接触になることを特徴とする請求項１記載の携帯型情報処理装置としたものであり、
キーボード操作時に打鍵による衝撃が直接ディスクドライブ装置に伝播されないという作用を有する。
【００１２】
以下、本発明の実施の形態について、図を用いて説明する。
（実施の形態１）
図１は本発明の一実施の形態の情報処理装置を側面から見た断面図で、図１（ａ）は通常の操作時の状態を示し、図１（ｂ）はディスクトレイが排出されるときの状態を示している。図において、１は情報処理装置本体、２は情報処理装置本体１にヒンジ部３で回動可能に取り付けられた表示部、４はキーボード部で表示部２と同様にヒンジ部に回動可能に取り付けられている。また、キーボード部４の下面にはフック部４ａが設けられている。キーボード部４の下方にはディスクドライブ装置５が載置されたドライブホルダー６があり、ベース金具７によって支持されている。ベース金具の後方にはガイド溝７ａがありドライブホルダー６に設けられた軸６ａが嵌合している。また、ベース金具の前方にはクランクアーム８の一端が回動可能に取り付けられている。またクランクアーム８のもう一端はドライブホルダー６に軸６ｂによりこれも回動可能に取り付けられている。軸６ｂはクランクアーム８を貫通し突起となっているが、図１（ａ）の状態ではキーボード部４のフック部４ａとは非接触となっている。図１（ｂ）において９はキーボード部が開いたときに生じる開口部である。
【００１３】
以上のように構成された本発明の情報処理装置について、以下その動作を説明する。図１（ａ）に示すように通常はキーボード部４は閉じられており、上面が情報処理装置本体１の上面と略同一面となっている。次に、ディスクを交換などで出し入れするときは、図１（ｂ）に示すようにキーボード部４を駆動機構（図示せず）によってヒンジ部３を支点に回動する。このとき、キーボード部４の下面に設けられたフック部４ａがドライブホルダー６の軸６ｂの突起を引っ掛け、持ち上げる。ドライブホルダー６に載置されたディスクドライブ装置５も共に持ち上げられる。しかし、ベース金具７とクランクアーム８によって結合されているため、キーボード部４の動きとは合わず、また、ドライブホルダー６に設けられた軸６ａがベース金具７のガイド溝７ａに沿ってスライドするため、ドライブホルダー６はキーボード部４に対して相対的に前方に移動する。そして図の位置になったときに回動を止め、ディスクドライブ装置５に内蔵されたディスクトレイ５ａが開口部９より排出される。そしてディスクトレイ５ａからディスクを脱着した後、ディスクトレイ５ａはディスクドライブ装置５に収納され、キーボード部４が再び回動し開口部９が閉じられる。そしてドライブホルダー６はベース金具７によってキーボード部４より先に回動が止まり、キーボード部４が閉じられた状態ではフック部４ａと軸６ｂの突起とは非接触となる。
【００１４】
このように、本実施の形態では、従来例に比べ図のＬの寸法が小さくなる。これにより、ディスク交換などの際にディスクに傷を付ける恐れもなくなり、操作が容易になる。また、キーボード操作時には打鍵による衝撃や振動が直接ディスクドライブ装置に伝播されることがなく、ディスクの読み取りや書き込みの動作に対する影響が少なくなる。
【００１５】
なお、本実施の形態では、クランクアーム取り付けの軸を突起としてフック部によって引っ掛けるようにしたが、フック部によって引っ掛けるものは、ドライブホルダーやディスクドライブ装置、あるいはクランクアームに別途突起を設けてもよいし、外形そのものでもよい。また、フック部をキーボード下面ではなく、ドライブホルダーやディスクドライブ装置、あるいはクランクアーム側に設け、キーボードに引っ掛けるようにしても同様である。また、ドライブホルダーをディスクドライブ装置と一体化してもよいことはいうまでもない。
【００１６】
【発明の効果】
以上のように本発明によれば、キーボード部の回動中心とは異なった軸を支点に回動するクランクアームにディスクドライブ装置を載置したドライブホルダーをキーボード部下面に設けたフック部で引っ掛けて回動することにより、キーボード部に対し相対的にディスクドライブ装置を前方に移動させることができ、ディスク交換などの際にディスクに傷を付ける恐れもなくなり、操作が容易になる。また、キーボード操作時にはキーボード部とディスクドライブ装置が直接接触しないため、打鍵による衝撃や振動が直接ディスクドライブ装置に伝播されることがなく、ディスクの読み取りや書き込みの動作に対する影響が少なくなるなど極めて有用である。
【図面の簡単な説明】
【図１】本発明の一実施の形態の情報処理装置を側面から見た断面図
【図２】従来の情報処理装置を側面から見た断面図
【符号の説明】
４  キーボード部
４ａ  フック部
５  ディスクドライブ装置
６  ドライブホルダー
６ａ、６ｂ  軸
７  ベース金具
７ａ  ガイド溝
８  クランクアーム
【図１】
0003965736.tif 000002
【図２】
0003965736.tif 000003